(57)【特許請求の範囲】
【請求項１】
内燃機関（10）へ燃料を噴射する燃料噴射弁（34）と、前記燃料噴射弁の燃料の噴射圧を制御する変圧装置（32，69，70）とを制御するよう構成され、１燃焼サイクルあたりに、少なくとも第１噴射と該第１噴射の後に実行されて該第１噴射よりも少量の燃料を噴射させる第２噴射とを前記燃料噴射弁に行わせる燃料噴射制御装置であって、
基準圧力値の噴射圧で前記第１噴射を開始させると共に、遅くとも前記第２噴射までに噴射圧を増大圧力値まで増圧させ、増大圧力値の噴射圧で第２噴射を行うよう前記変圧装置を制御し、
前記第１噴射の際に筒内圧センサ（52）で検出した内燃機関のシリンダ内圧力を用いて算出した熱発生量に基づいて、前記増大圧力値の大きさを決定する圧力決定手段（36）を備えることを特徴とする燃料噴射制御装置。
【請求項２】
前記噴射圧を前記基準圧力値から増大圧力値まで増圧させる際の増圧開始時期を決定する開始決定手段（36）を備え、
前記開始決定手段は、前記第１噴射の際に前記筒内圧センサで検出した内燃機関のシリンダ内圧力を用いて算出される燃焼騒音に関するパラメータに基づいて前記増圧開始時期を決定する請求項１記載の燃料噴射制御装置。
【請求項３】
前記開始決定手段は、前記第１噴射中に含まれるよう前記増圧開始時期を決定し、
前記変圧装置は、前記基準圧力値から増大圧力値に噴射圧が漸次的に増圧するよう制御される請求項２記載の燃料噴射制御装置。
【請求項４】
内燃機関へ燃料を噴射する燃料噴射弁と、前記燃料噴射弁の燃料の噴射圧を制御する変圧装置とを制御して、１燃焼サイクルあたりに、少なくとも第１噴射と該第１噴射の後に実行されて該第１噴射よりも少量の燃料を噴射させる第２噴射とを前記燃料噴射弁に行わせる燃料噴射制御方法であって、
基準圧力値の噴射圧で前記第１噴射を開始させるステップ（S25）と、
遅くとも前記第２噴射までに噴射圧を前記基準圧力値から増大圧力値まで増圧させるステップ（S27）と、
前記増大圧力値の噴射圧で第２噴射を開始させるステップ（S30）と、
を備え、
前記第１噴射の際に筒内圧センサで検出した内燃機関のシリンダ内圧力を用いて算出した熱発生量に基づいて、前記増大圧力値の大きさを決定する燃料噴射制御方法。
【請求項５】
前記噴射圧を前記基準圧力値から前記増大圧力値に増圧させる際の増圧開始時期を、前記第１噴射の期間に含まれるよう決定すると共に、
前記基準圧力値から増大圧力値に前記噴射圧が漸次的に増圧するよう前記変圧装置を制御する請求項４記載の燃料噴射制御方法。
【請求項６】
前記第１噴射の際に筒内圧センサで検出した内燃機関のシリンダ内圧力を用いて算出される燃焼騒音に関するパラメータに基づいて前記増圧開始時期を決定する請求項５に記載の燃料噴射制御方法。
【発明の詳細な説明】
【技術分野】
【０００１】
本発明は、内燃機関へ燃料を噴射する燃料噴射弁と、燃料噴射弁の燃料の噴射圧を制御する変圧装置とを制御する燃料噴射制御装置および燃料噴射制御方法に関する。
【背景技術】
【０００２】
近年、自動車のディーゼルエンジン等では、１回の燃焼サイクル中において、出力トルクを生成するメイン噴射の前後で、該メイン噴射よりも少ない噴射量でサブ噴射を行う多段噴射方式が広く採用さている。例えば、メイン噴射の前に少ない噴射量で噴射を行うパイロット噴射は、燃料燃焼時の騒音やＮＯｘの排出量を抑制すると云った効果が奏される。また、メイン噴射の直後に行われるアフター噴射は、拡散燃焼の活性化、ひいてはＰＭ排出の低減等を図ることを目的として行われる（例えば特許文献１参照）。
【先行技術文献】
【特許文献】
【０００３】
【特許文献１】特開２００８−１９６４４９号公報
【発明の概要】
【発明が解決しようとする課題】
【０００４】
ところで、トルクを得るために多量の燃料が噴射されるメイン噴射では、シリンダ内での燃焼量が大きく、該シリンダ内の温度（筒内温度）が極めて高くなる。そのため、メイン噴射の直後に実施されるアフター噴射では、高温環境下で燃料が噴射されるため、噴射後、極めて短時間で燃料が着火してしまう(着火遅れが非常に短い)。このため、燃料が空気と十分に混合する間もなく燃焼してしまうため、シリンダ内にスモークが発生し易くなる問題がある。また、空気との混合不足から燃焼温度が不十分となり、アフター噴射の目的であるスモークの再酸化効果が低減することもある。
【０００５】
一方、燃焼サイクル中の噴射圧を全体的に大きくし、高圧下で噴射することで燃料を微粒化すれば、空気との混合を促進することは可能である。ところが、このような高い噴射圧でパイロット噴射を行うと、燃料の微粒化が過度に進行して過拡散を引き起こしてしまう。その結果、パイロット噴射中の燃焼量が低下し、燃焼サイクル中の着火安定性が損なわれる難点がある。また、メイン噴射を高圧で実行した場合には、予混合燃焼量が過剰となり、燃焼騒音が悪化する問題が招来する。
【０００６】
そこで、本発明は、上記課題を解決するためになされたものであって、その目的は、燃焼騒音の悪化を抑制しつつスモークの再燃焼効果を促進し、スモーク排出量を低減することにある。
【課題を解決するための手段】
【０００７】
以下、上記課題を解決するための手段、及びその作用効果について記載する。
【０００８】
第１の発明では、
内燃機関へ燃料を噴射する燃料噴射弁と、前記燃料噴射弁の燃料の噴射圧を制御する変圧装置とを制御するよう構成され、１燃焼サイクルあたりに、少なくとも第１噴射と該第１噴射の後に実行されて該第１噴射よりも少量の燃料を噴射させる第２噴射とを前記燃料噴射弁に行わせる燃料噴射制御装置であって、
基準圧力値の噴射圧で前記第１噴射を開始させると共に、遅くとも前記第２噴射までに噴射圧を増大圧力値まで増圧させ、増大圧力値の噴射圧で第２噴射を行うよう前記変圧装置を制御することを特徴とする。
【０００９】
第１の発明によれば、第２噴射を基準圧力値よりも大きい増大圧力値の噴射圧で実行するから、基準圧力値で噴射させる場合と比較して燃料を微粒化して噴射させることができる。その結果、高温環境下であっても燃料を空気と十分に混合させることができ、スモークの発生を抑制することができる。また、空気と十分に混合することで、燃焼により十分な燃焼温度が確保され、スモークの再酸化効果を促進することができる。更に、第１噴射は、基準圧力値の噴射圧で開始されるから、第１噴射時に燃焼騒音が悪化するのを抑制することができる。
【００１０】
第２の発明では、前記燃料噴射弁の噴射量、前記内燃機関の吸気温度および該内燃機関のシリンダ内圧力の少なくとも１つに基づいて、前記増大圧力値の大きさを決定する圧力決定手段を備えることを特徴とする。
【００１１】
第２の発明によれば、内燃機関の運転条件に基づいて、最適な増大圧力値を決定することができる。
【００１２】
第３の発明では、開始決定手段は、前記第１噴射が終了してから第２噴射が開始するまでの期間に含まれるよう増圧開始時期を決定することを特徴とする。
【００１３】
第３の発明によれば、第２噴射で十分な燃焼温度を確保できるので、スモークの再酸化効果が促進されて、スモークの発生を抑制することができる。また、第１噴射での噴射圧は基準圧力値で実行されるから、燃焼騒音が悪化することはない。
【００１４】
第４の発明では、前記開始決定手段は、前記第１噴射中に含まれるよう前記増圧開始時期を決定し、前記変圧装置は、前記基準圧力値から増大圧力値に噴射圧が漸次的に増圧するよう制御されることを特徴とする。
【００１５】
第４の発明によれば、第１噴射中から噴射圧を漸次的に増圧させるから、増大圧力値を大きく設定しやすくなる。従って、第２噴射でのスモークの再酸化効果を更に促進することができる。
【００１６】
第５の発明では、
内燃機関へ燃料を噴射する燃料噴射弁と、前記燃料噴射弁の燃料の噴射圧を制御する変圧装置とを制御して、１燃焼サイクルあたりに、少なくとも第１噴射と該第１噴射の後に実行されて該第１噴射よりも少量の燃料を噴射させる第２噴射とを前記燃料噴射弁に行わせる燃料噴射制御方法であって、
基準圧力値の噴射圧で前記第１噴射を開始させるステップと、
遅くとも前記第２噴射までに噴射圧を前記基準圧力値から増大圧力値まで増圧させるステップと、
前記増大圧力値の噴射圧で第２噴射を開始させるステップと、を備えることを特徴とする。
【００１７】
第５の発明によれば、第２噴射を基準圧力値よりも大きい増大圧力値の噴射圧で実行するから、基準圧力値で噴射させる場合と比較して燃料を微粒化して噴射させることができる。その結果、高温環境下であっても燃料を空気と十分に混合させることができ、スモークの発生を抑制することができる。また、空気と十分に混合することで、燃焼により十分な燃焼温度が確保され、スモークの再酸化効果を促進することができる。更に、第１噴射は、基準圧力値の噴射圧で開始されるから、第１噴射時に燃焼騒音が悪化するのを抑制することができる。
【図面の簡単な説明】
【００１８】
【図１】実施形態１に係る燃料噴射制御装置が適用されたエンジンのシステム構成図。
【図２】（ａ）は、実施形態１に係る変圧装置を示す概略図、（ｂ）は、燃料噴射弁に一体化された変更例に係る小型レールを示す概略図。
【図３】実施形態１に係る制御態様を示す図であって、（ａ）は、噴射パルスのタイミングチャート、（ｂ）は、熱発生率を示すグラフ、（ｃ）は、噴射圧を示すグラフ。
【図４】実施形態１に係る増圧開始時期および増大圧力値を決定するフローチャート。
【図５】実施形態１に係る噴射圧制御を示すフローチャート。
【図６】実施形態２に係る増圧開始時期および増大圧力値を決定するフローチャート。
【図７】実施形態３に係る制御態様を示す図であって、（ａ）は、噴射パルスのタイミングチャート、（ｂ）は、熱発生率を示すグラフ、（ｃ）は、噴射圧を示すグラフ。
【図８】実施形態３に係る増圧開始時期および増大圧力値を決定するフローチャート。
【図９】変更例に係る変圧装置を示す概略図。
【図１０】別の変更例に係る変圧装置を示す概略図。
【発明を実施するための形態】
【００１９】
次に、実施形態に係る燃料噴射制御装置および燃料噴射制御方法について、以下説明する。以下の実施形態では、図１に示すように、内燃機関として、多気筒ディーゼルエンジン１０（以下、エンジン１０と称する）を採用し、当該エンジン１０に燃料噴射制御装置（ＥＣＵ３６）を適用した場合で例示する。
【００２０】
[実施形態１]
図１に示すように、エンジン１０は、シリンダブロック１２に形成されたシリンダ１４内にピストン１５が往復動自在に収容されて構成されている。シリンダブロック１２の上端面には、燃焼室１６が画成されたシリンダヘッド１８が設けられている。このシリンダヘッド１８には、燃焼室１６に開口する吸気ポート２０および排気ポート２２が形成されている。これら吸気ポート２０および排気ポート２２は、それぞれ吸気弁２４および排気弁２６により開閉されるようになっている。
【００２１】
前記吸気ポート２０には、外気を吸入するための吸気管２８が接続されている。吸気弁２４が吸気ポート２０を開放する吸入行程の際にピストン１５がシリンダ１４内を降下して負圧が生じると、吸気管２８より吸入された外気が吸気ポート２０を介してシリンダ１４内へ流入する。前記排気ポート２２には、燃焼ガスを排出するための排気管３０が接続されている。排気弁２６が排気ポート２２を開放する排気行程の際に、ピストン１５の上昇により燃焼室１６から押し出された燃焼ガスが、排気ポート２２を介して排気管３０へ排出されるようになっている。
【００２２】
前記エンジン１０に供給される燃料（軽油）は、蓄圧式燃料噴射システムにより燃料の噴射圧、噴射時期および噴射量が制御されるようになっている。この蓄圧式燃料噴射システムは、燃料の圧力（噴射圧）を変圧可能な変圧装置３２と、該変圧装置３２から圧送された燃料をエンジン１０の各気筒の燃焼室１６にそれぞれ噴射する複数の燃料噴射弁３４（図１には１つのみ図示）と、これら変圧装置３２および燃料噴射弁３４を制御する燃料噴射制御装置としてのＥＣＵ３６（電子制御ユニット）とから基本的に構成されている。
【００２３】
前記燃料噴射弁３４は、ＥＣＵ３６によって電子制御される電磁弁（図示せず）と、この電磁弁の開弁動作によって燃料を噴射するノズル３４ａとを有し、このノズル３４ａの先端部が各気筒の燃焼室１６に臨んだ状態で、シリンダヘッド１８に取り付けられている。
【００２４】
前記変圧装置３２は、図２（a）に示すように、各燃料噴射弁３４に対応して設けられた小型レール３８（蓄圧レール）と、小型レール３８に燃料を圧送する高圧ポンプ４０と、各小型レール３８および高圧ポンプ４０を接続する高圧パイプ４２を選択的に開閉する開閉弁４４とから基本的に構成されている。前記小型レール３８は、高圧ポンプ４０から供給された高圧の燃料を目標レール圧まで蓄圧すると共に、その蓄圧された燃料を燃料噴射弁３４に供給する。燃料噴射弁３４は、前記電磁弁が開放されると、小型レール３８内の圧力と略同一の噴射圧で燃料を燃焼室１６に供給する。前記開閉弁４４は、ＥＣＵ３６により開閉されて、高圧ポンプ４０から小型レール３８への燃料の供給量（すなわち、圧力）を制御している。
【００２５】
ＥＣＵ３６は、ＣＰＵ、ＲＡＭ、ＲＯＭ等を有するマイクロコンピュータを中心に構成されている。ＥＣＵ３６は、クランク角センサ４６、燃圧センサ５０、筒内圧センサ（ＣＰＳ）５２、吸気圧センサ５４、吸気温センサ５６、吸気量センサ５８等から出力される出力信号を入力し、これらの出力信号に基づいてエンジン１０の運転状態を検出する。ＥＣＵ３６は、ＲＯＭ等の記憶媒体に記憶された制御プログラムを実行することにより、後述する圧力決定手段、開始決定手段として機能する。
【００２６】
図１に示すように、クランク角センサ４６は、エンジン１０のクランク軸と同期して回転するパルサ６０の近傍に配置され、該パルサ６０が１回転する間に、パルサ６０の外周部に設けられた歯部の数に相当する複数のパルス信号（回転角信号）を出力する。ＥＣＵ３６は、クランク角センサ４６から出力される回転角信号に基づいて、エンジン１０の回転数（ＮＥ）およびクランク角度を検出する。
【００２７】
図２（ａ）に示すように、燃圧センサ５０は、各小型レール３８に取り付けられ、該小型レール３８に蓄圧された燃料圧力を計測する。
【００２８】
筒内圧センサ５２（ＣＰＳ）は、エンジン１０の少なくとも１つの気筒のシリンダヘッド１８に取り付けられ、シリンダ内圧力を計測する。なお、筒内圧センサ５２の出力信号は、ローパスフィルタ（ＬＰＦ）によりノイズが除去された後にＥＣＵ３６に入力されるようになっている。
【００２９】
吸気圧センサ５４は、吸気管２８に取り付けられ、該吸気管２８内の吸気圧（Ｐｍ）を計測する。吸気温センサ５６は、吸気管２８に取り付けられ、該吸気管２８内を通過する吸気温度（Ｔｍ）を計測する。吸気量センサ５８は、吸気管２８に取り付けられ、吸気管２８内の吸気量（Ｇａ）を計測する。
【００３０】
次に、ＥＣＵ３６の制御機能について、以下詳述する。このＥＣＵ３６は、燃料噴射弁３４に対する噴射制御および変圧装置３２に対する噴射圧制御を実施する。
【００３１】
[噴射制御について]
ＥＣＵ３６による噴射制御は、燃料噴射弁３４からの燃料の噴射量および噴射時期を制御することで行われる。ＥＣＵ３６は、エンジン１０の運転状態に基づいて最適な噴射量および噴射時期を演算し、その演算結果に基づいて燃料噴射弁３４の燃料噴射を制御する。具体的には、この噴射制御は、燃料の噴射量および噴射時期を規定するパルス信号（噴射パルス）により、燃料噴射弁３４の電磁弁に供給される電力を制御することで行われる。
【００３２】
実施形態１で実施される具体的な噴射制御は、図３で示される。図３（ａ）は、噴射パルスのタイミングチャート、図３（ｂ）は、燃焼室１６内の熱発生率、図３（ｃ）は燃料の噴射圧を示す。なお、図３の横軸は、クランク角度を示す。図３（ａ）に示すように、ＥＣＵ３６は、トルクの生成を目的とするメイン噴射（第1噴射）の直後に、該メイン噴射の燃料の噴射量よりも少ない噴射量でアフター噴射（第２噴射）を実行する。更に、ＥＣＵ３６は、メイン噴射に先立って、メイン噴射よりも少ない噴射量でパイロット噴射（第３噴射）を実行する。すなわち、ＥＣＵ３６は、１燃焼サイクル（燃焼行程）において、パイロット噴射、メイン噴射およびアフター噴射を行う多段噴射を実行するようになっている。
【００３３】
[噴射圧制御について]
次に、ＥＣＵ３６による噴射圧制御について説明する。噴射圧制御において、ＥＣＵ３６は、変圧装置３２の開閉弁４４を開閉して、小型レール３８内の圧力が所定の目標レール圧となるよう制御する。これにより、燃料噴射弁３４から燃焼室１６へ噴射される燃料の噴射圧を制御している。ＥＣＵ３６は、１燃焼サイクル、詳しくは燃焼行程において、基準圧力値および増大圧力値の２つの目標レール圧（それぞれ第１の目標レール圧、第２の目標レール圧と称する場合がある）を設定する。
【００３４】
図３（ｃ）に示すように、ＥＣＵ３６は、燃焼行程を基準圧力値の噴射圧で開始させる。そして、燃焼行程の途中（少なくともメイン噴射の開始後）から噴射圧を増圧させ、燃焼行程の後半（少なくともアフター噴射）を基準圧力値より高い増大圧力値の噴射圧で実行するようになっている。実施形態１では、パイロット噴射およびメイン噴射を前記基準圧力値の噴射圧で行い、アフター噴射を前記増大圧力値の噴射圧で行う。
【００３５】
ＥＣＵ３６は、噴射圧を基準圧力値から増大圧力値まで増圧させるタイミング（増圧開始時期）を決定するようになっている。すなわち、ＥＣＵ３６は、増圧開始時期を決定する開始決定手段として機能する。実施形態１では、図３（ａ）に示すように、メイン噴射の終了と同時に噴射圧を増圧させるように設定されている。従って、ＥＣＵ３６は、メイン噴射が終了するタイミングを増圧開始時期に決定する。また、ＥＣＵ３６は、アフター噴射が開始されるまでに噴射圧が増大圧力値まで増圧するよう変圧装置３２を制御する。
【００３６】
ＥＣＵ３６は、基準圧力値および増大圧力値を決定する圧力決定手段として機能する。基準圧力値については、ＥＣＵ３６は、エンジン１０の運転状態を規定する回転数や燃料の噴射量等に基づいて、リアルタイムで（当該燃焼サイクル中に）基準圧力値を決定する。ＥＣＵ３６は、算出された基準圧力値を第１の目標レール圧として設定し、燃焼行程の開始から増圧開始時期までの間（以下、燃焼行程の前半という場合がある）、前記燃圧センサ５０が第１の目標レール圧となるよう変圧装置３２（開閉弁４４）を制御する。
【００３７】
一方、増大圧力値については、ＥＣＵ３６は、メイン噴射での燃焼量に関するパラメータである（１）燃料噴射弁３４の噴射量、（２）エンジン１０の吸気温度、（３）エンジン１０のシリンダ内圧力の少なくとも１つに基づいて算出される。実施形態１では、筒内圧センサ５２で計測されたシリンダ内圧力に基づいて、増大圧力値を算出するようになっている。以下に、シリンダ内圧力から増大圧力値を算出する一例を示す。
【００３８】
ＥＣＵ３６は、メイン噴射でのシリンダ内圧力に基づいて、熱発生率および熱発生量（燃焼量）を算出する。ここで、熱発生率ｄＱ［Ｊ／°］は、以下の式で求められる。
【００３９】
【数１】
0005766654.tif 000002
Ｋは比熱比であり、一定（約１．３３）とみなすことができる。Ｖはシリンダ１４内の行程容積[ｍ３]、Ｐはシリンダ内圧力[Ｐａ]である。
【００４０】
熱発生量Ｑ[Ｊ]は、熱発生率を積分することで以下の式で求められる。
【００４１】
【数２】
0005766654.tif 000003
【００４２】
【数３】
0005766654.tif 000004
Ｄ＿ｄｅｇは、クランク角を示す。
【００４３】
ＥＣＵ３６には、各熱発生量に対応する最適な増大圧力値を規定したＭＡＰ値が予め記憶されている。そして、ＥＣＵ３６は、上記数２,３の式から算出した熱発生量から、前記ＭＡＰ値を参照して増大圧力値を決定するようになっている。ＥＣＵ３６は、決定された増大圧力値を第２の目標レール圧として設定し、燃焼行程の増圧開始時期以降（以下、燃焼行程の後半と称する場合がある）において、燃圧センサ５０が第２の目標レール圧となるよう変圧装置３２（開閉弁４４）を制御する。
【００４４】
[燃料噴射制御方法について]
次に、ＥＣＵ３６による燃料噴射制御方法について説明する。先ず始めに、増圧開始時期および増大圧力値を決定する場合について、図４を参照して説明する。ＥＣＵ３６は、増圧開始時期をメイン噴射の終了時に設定する（ステップＳ１０）。次に、ＥＣＵ３６は、メイン噴射において筒内圧センサ５２が計測したシリンダ内圧力を取得する（ステップＳ１１）。
【００４５】
ステップＳ１１で取得したシリンダ内圧力から、数１を用いてメイン噴射中の熱発生率を算出する（ステップＳ１２）。算出された熱発生率から、数２，３を用いてメイン噴射中の熱発生量を算出する（ステップＳ１３）。そして、ＥＣＵ３６は、予め記憶されたＭＡＰ値を参照して、ステップＳ１３で算出された熱発生量から最適な増大圧力値を決定する（ステップＳ１４）。ＥＣＵ３６は、決定された増大圧力値を第２の目標レール圧として設定する（ステップＳ１５）。第２の目標レール圧として設定された増大圧力値は、次回の燃焼サイクルにおいて噴射圧を増圧する際に用いられる。
【００４６】
次に、ＥＣＵ３６による噴射圧制御について、図５を参照して説明する。先ず始めに、ＥＣＵ３６は、エンジン１０の回転数や燃料の噴射量等、エンジン１０の運転状態を取得する（ステップＳ２０）。次に、ＥＣＵ３６は、取得された運転状態に基づいて最適な基準圧力値を算出し（ステップＳ２１）、算出された基準圧力値を第１の目標レール圧に設定する（ステップＳ２２）。そして、ＥＣＵ３６は、燃圧センサ５０での計測値が第１の目標レール圧となるよう開閉弁４４を制御しつつ、燃焼行程を開始させる（ステップＳ２３）。
【００４７】
燃焼行程が開始されると、先ず始めに、パイロット噴射が実行される（ステップＳ２４）。このパイロット噴射では、図３（ａ）に示すように、第１の目標レール圧（すなわち、基準圧力値）の噴射圧で燃料が燃料噴射弁３４から燃焼室１６へ短時間供給される。このとき、図３（ｂ）に示すように、パイロット噴射では、熱発生率が所定高さの山状に変化する。
【００４８】
パイロット噴射の後、所定時間経過すると、ＥＣＵ３６は、第１の目標レール圧を維持したままメイン噴射を開始させる（ステップＳ２５）。このメイン噴射では、図３（ａ）に示すように、パイロット噴射に較べて、多くの燃料が燃焼室１６へ供給されて、大きなトルクが得られる。また、図３（ｂ）に示すように、メイン噴射での熱発生率は、パイロット噴射に較べて高い山状に変化し、熱発生量も大きくなる。
【００４９】
メイン噴射が終了して増圧開始時期が到来すると（ステップＳ２６のＹｅｓ）、ＥＣＵ３６は、開閉弁４４を制御して、小型レール３８の増圧を開始させる（ステップＳ２７）。すなわち、図３（ｃ）に示すように、ＥＣＵ３６は、メイン噴射の噴射パルスが終了すると同時に、噴射圧を基準圧力値（第１の目標レール圧）から増大圧力値（第２の目標レール圧）に向けて増圧させる。このとき、ＥＣＵ３６は、噴射圧が線形的に増加するよう変圧装置３２を制御する。また、ＥＣＵ３６は、アフター噴射が開始される直前に噴射圧が基準圧力値に到達するよう変圧装置３２を制御する。
【００５０】
燃圧センサ５０の計測値が第２の目標レール圧に到達すると（ステップＳ２８のＹｅｓ）、ＥＣＵ３６は、開閉弁４４を制御して、噴射圧の増圧を終了させる（ステップＳ２９）。そして、ＥＣＵ３６は、増大圧力値（第２の目標レール圧）の噴射圧でアフター噴射を開始させる（ステップＳ３０）。
【００５１】
ここで、図３（ｂ）に示すように、アフター噴射は、メイン噴射の終了直後に実行されるため、アフター噴射を開始するときの燃焼室１６内の温度は、非常に高温な状態となっている。このような高温状態下で燃料が噴射されると、極めて短時間で燃料が着火することになる。
【００５２】
しかるに、実施形態１では、アフター噴射が開始されるまでに高圧の増大圧力値まで噴射圧が高められている。そして、このような大きな噴射圧で燃料を噴射することで当該燃料の微粒化が促進され、燃料が空気と十分に混合した状態で燃焼させることができる。その結果、アフター噴射でのスモークの発生を抑制することができる。また、燃料が空気と十分に混合することで、高い燃焼温度を確保することができ、アフター燃焼によるスモークの再酸化効果を向上することができる。
【００５３】
以上説明した実施形態１に係る燃料噴射制御装置および燃料噴射制御方法によれば、以下の作用効果を奏する。
【００５４】
１．アフター噴射を基準圧力値より大きい増大圧力値の噴射圧で実行するから、高温環境下であっても、燃料を空気と十分に混合させることができる。これにより、アフター噴射において、スモークの発生を抑制することができる。増大圧力値は、燃焼室１６の実際のシリンダ内圧力から算出した熱発生量に基づいて決定される。すなわち、エンジン１０の運転状態を正確に反映したパラメータに基づいて、最適な増大圧力値を求めることで、スモークを確実に抑制することができる。
【００５５】
２．増圧開始時期をメイン噴射の終了時に設定したので、メイン噴射の終了時から噴射圧の増圧が開始される。すなわち、メイン噴射は、増大圧力値よりも小さな基準圧力値の噴射圧で実行されることになる。従って、メイン噴射において、燃料が過度に微粒化されて予混合燃焼が過剰となり、燃焼騒音が悪化すると云った事態を招くことはない。
【００５６】
３．パイロット噴射は、増大圧力値より小さい基準圧力値の噴射圧で実行されるから、燃料が過度に微粒化することで過拡散が発生することはない。従って、燃焼サイクル中の着火安定性を維持することができる。
【００５７】
なお、実施形態１では、筒内圧センサ５２で計測されたシリンダ内圧力を用いて熱発生量を算出し、該熱発生量から増大圧力値を決定するようにした。しかしながら、シリンダ内圧力を用いた増大圧力値の決定方法としては、他の方法を採用することができる。
【００５８】
例えば、シリンダ内圧力から算出したメイン噴射での熱発生率の最大値に基づいて、増大圧力値を決定することも可能である。この場合、ＥＣＵ３６は、筒内圧センサ５２で計測されたシリンダ内圧力から数１を用いてメイン噴射中の熱発生率を算出し、その最大値を決定する。また、ＥＣＵ３６には、熱発生率の各最大値と最適な増大圧力値とを規定したＭＡＰ値を予め記憶しておく。そして、ＥＣＵ３６は、ＭＡＰ値を参照して、算出された熱発生率の最大値から最適な増大圧力値を決定する。
【００５９】
また、他の方法として、筒内圧センサ５２で計測されたシリンダ内圧力に基づいて、メイン噴射後の燃焼室１６の温度（以下、筒内温度と称する）を算出し、この筒内温度から増大圧力値を決定してもよい。ここで、筒内温度Ｔ[Ｋ]は、次の式で求められる。
【００６０】
【数４】
0005766654.tif 000005
0≦ｎ≦datanum
P：筒内圧力［Ｐａ］
Ｖ：行程容積［ｍ３］
ＷＧ：ガス重量［ｋｇ］
ＲＧ：ガス定数［Ｊ／ｋｇ・Ｋ］
datanum：１燃焼サイクル当たりのデータ数
また、ガス重量WＧ［ｋｇ］は、次の式で求められる。
【００６１】
【数５】
0005766654.tif 000006
Wａ：吸入空気重量［ｋｇ］
Ｗｒｇ：残留ガス重量［ｋｇ］
Ｗｅｇｒ：ＥＧＲガス重量［ｋｇ］
Ｗｆｂ［ｎ］：ｎステップまでの既燃焼燃料重量［ｋｇ］
ここで、吸入空気重量Ｗａ［ｋｇ］は、吸気量センサ５８で計測された吸入空気量から算出される。また、既燃焼燃料重量Ｗｆｂ［ｋｇ］は、次の式で求められる。
【００６２】
【数６】
0005766654.tif 000007
Ｑ［ｎ］：ｎステップまでの熱発生量［Ｊ］
Ｈｕ：低位発熱量［ｊ／ｇ］
低位発熱量とは、燃料の総発熱量から燃焼ガス中に蓄えられる水分の蒸発の潜熱を引いたものをいう。
【００６３】
このように、熱発生率の最大値や筒内温度から増大圧力値を算出した場合であっても、メイン噴射での燃焼状態を的確に反映した最適な増大圧力値を求めることができる。従って、アフター噴射でのスモークの発生を確実に抑制することができる。
【００６４】
なお、実施形態１では、増圧開始時期をメイン噴射の終了時に設定した。しかしながら、アフター噴射が開始されるまでに噴射圧が増大圧力値まで増圧されていれば、必ずしも増圧開始時期をメイン噴射の終了時に設定する必要はない。すなわち、メイン噴射が終了してからアフター噴射が開始するまでの期間に増圧開始時期が含まれていればよい。例えば、メイン噴射が終了して所定時間経過したタイミングを増圧開始時期に設定してもよい。
【００６５】
［実施形態２］
次に、実施形態２に係る燃料噴射制御装置（ＥＣＵ３６）および燃料噴射制御方法について説明する。なお、実施形態２では、実施形態１と異なる部分についてのみ説明することとし、実施形態１と同一の構成および作用効果を示す部分については、同じ符号を付して説明を省略する。
【００６６】
前述した実施形態１では、シリンダヘッド１８に筒内圧センサ５２を設け、該筒内圧センサ５２で計測されたシリンダ内圧力に基づいて増大圧力値を算出する場合を例示した。実施形態２では、シリンダヘッド１８に筒内圧センサ５２が設けられていない場合において、シリンダ内圧力を用いることなく増大圧力値を算出する方法について説明する。
【００６７】
実施形態２では、メイン噴射中において吸気温センサ５６で計測された吸気温度と、メイン噴射中の燃料の噴射量（メイン噴射でのパルス信号から算出）とに基づいて、増大圧力値を算出する。実施形態２のＥＣＵ３６には、各吸気温度および燃料の噴射量の組み合わせに対する最適な増大圧力値のＭＡＰ値が予め記憶されている。そして、ＥＣＵ３６は、当該ＭＡＰ値を参照して、吸気温度および燃料の噴射量から増大圧力値を決定するようになっている。
【００６８】
図６は、実施形態２において、ＥＣＵ３６が増圧開始時期および増大圧力値を決定するフローを示す。先ず始めに、ＥＣＵ３６は、増圧開始時期をメイン噴射の終了時に設定する（ステップ３０）。次に、メイン噴射中若しくはその所定時間前に吸気温センサ５６で計測された吸気温度を取得する（ステップＳ３１）。また、ＥＣＵ３６は、メイン噴射のパルス信号からメイン噴射中に噴射された燃料の噴射量を取得する（ステップＳ３２）。ＥＣＵ３６は、ＭＡＰ値を参照して、取得された吸気温度および燃料の噴射量の組み合わせから最適な増大圧力値を決定する（ステップＳ３３）。そして、ＥＣＵ３６は、決定された増大圧力値を第２の目標レール圧に設定し（ステップＳ３４）、次回の燃焼サイクルにおいて噴射圧を増圧する際に第２の目標レール圧を用いて制御する。
【００６９】
このように、実施形態２の燃料噴射制御装置および燃料噴射方法によれば、実施形態１と同様に、アフター噴射でのスモークの発生を好適に抑制することができる。また、増大圧力値は、メイン噴射での吸気温度および燃料の噴射量に基づいて決定されるから、シリンダ内圧力を計測するための高価な筒内圧センサ５２（ＣＰＳ）を必要としない。従って、エンジン１０の製品コストを抑制することができる。
【００７０】
なお、実施形態２では、増大圧力値を吸気温度および燃料の噴射量の双方に基づいて決定したが、吸気温度または燃料の噴射量の何れか一方に基づいて増大圧力値を決定してもよい。また、例えば、エンジン１０の回転数（ＮＥ）と燃料の噴射量の組み合わせから増大圧力値を決定してもよい。
【００７１】
[実施形態３]
次に、実施形態３に係る燃料噴射制御装置（ＥＣＵ３６）および燃料噴射制御方法について、以下説明する。なお、実施形態３についても、実施形態１と同一の部分については、同じ符号を付して説明は省略する。
【００７２】
実施形態１および２では、増圧開始時期をメイン噴射の終了時に設定し、メイン噴射の終了と同時に噴射圧を増圧させる構成とした。これに対し、実施形態３では、メイン噴射中に噴射圧の増圧を開始させるようになっている。すなわち、図７（ｃ）に示すように、実施形態３では、開始決定手段としてのＥＣＵ３６は、増圧開始時期がメイン噴射中に含まれるよう該増圧開始時期を決定するようになっている。なお、図７（ａ）は、パルス信号のタイミングチャート、図７（ｂ）は、熱発生率を示すグラフである。
【００７３】
ここで、図７（ｂ）に示すように、熱発生率のグラフは、メイン噴射の開始と共に一気に急上昇していることが分かる。すなわち、メイン噴射が開始した直後は、熱発生率の変化率（傾き）が最も大きくなっている。このような熱発生率の変化率が大きい状態で噴射圧を大きくした場合には、予混合燃焼量が過剰となって燃焼騒音が悪化してしまう。
【００７４】
そこで、ＥＣＵ３６は、メイン噴射の開始時期から所定時間遅延させて増圧開始時期を設定するようになっている。すなわち、増圧開始時期は、熱発生率の変化率が大きいメイン噴射の開始直後を避けるように設定される。
【００７５】
具体的には、増圧開始時期は、燃焼騒音に関するパラメータ（以下、騒音パラメータと称する）に基づいて算出される。この騒音パラメータとしては、例えば、（１）メイン噴射の開始直後における熱発生率の変化率（傾き）や、（２）シリンダ内圧力の微分値の最大値、等が挙げられる。熱発生率の変化率は、シリンダ内圧力から上記数１を用いて熱発生率を算出し、これを微分することで求められる。
【００７６】
ＥＣＵ３６には、騒音パラメータ（熱発生率の変化率やシリンダ内圧力の微分値）に対する最適な増圧開始時期が規定されたＭＡＰ値が予め記憶されている。そして、ＥＣＵ３６は、当該ＭＡＰ値を参照して、算出された騒音パラメータから最適な増圧開始時期を決定する。
【００７７】
図７（ｃ）に示すように、噴射圧を増大圧力値まで増圧する際に、ＥＣＵ３６は、噴射圧を線形的に増加させるようになっている。この場合において、実施形態３の如く、増圧開始時期をメイン噴射中に設定することで、噴射圧を基準圧力値から増大圧力値まで増圧させる時間が、実施形態１の場合（図３（ｃ）参照）に較べて長くなる。これにより、実施形態３では、実施形態１の場合に較べて緩やかな傾きで噴射圧を漸次的に増圧させることができる。しかも、噴射圧を増圧させる時間を長く確保できるから、実施形態１の場合に較べて大きな増大圧力値を設定することが可能となる。
【００７８】
次に、実施形態３において、ＥＣＵ３６が増圧開始時期および増大圧力値を決定する方法について、図８を参照して説明する。先ず始めに、筒内圧センサ５２で計測されたシリンダ内圧力を取得する（ステップ４０）。次に、シリンダ内圧力から騒音パラメータを算出し（ステップＳ４１）、算出された騒音パラメータからＭＡＰ値を参照して最適な増圧開始時期を決定する（ステップＳ４２）。
【００７９】
次に、ＥＣＵ３６は、ステップＳ４０で取得したシリンダ内圧力から数１，２，３を用いて熱発生量を算出する（ステップＳ４３）。そして、算出された熱発生量からＭＡＰ値を参照して最適な増大圧力値を決定し（ステップＳ４４）、決定された増大圧力値を第２の目標レール圧として設定する（ステップＳ４５）。設定された第２の目標レール圧は、次回の燃焼サイクルにおいて噴射圧を増圧する際に用いられる。
【００８０】
以上に説明したように、実施形態３の燃料噴射制御装置および燃料噴射方法によれば、実施形態１と同様に、アフター噴射でのスモークの発生を好適に抑制することができる。また、実施形態３では、増圧開始時期をメイン噴射中に設定するから、噴射圧を増圧させる時間を長く確保することができ、噴射圧をゆっくりと増加させることができる。これにより、メイン噴射の早い段階で噴射圧が一気に大きくなるのを防止することができる。しかも、増圧させる時間を多く確保することができるので、大きな増大圧力値を設定することができる。
【００８１】
また、実施形態３では、燃焼騒音に関するパラメータに基づいて増圧開始時期を決定することで、メイン噴射の開始時期から遅延させるようになっている。これにより、熱発生率が大きく上昇するメイン噴射の初期段階を避けて噴射圧を増圧させるので、燃焼騒音の悪化を最小限に止めることができる。すなわち、実施形態３では、燃焼騒音の悪化抑制と、アフター噴射でのスモーク低減との両立が図られている。
【００８２】
なお、実施形態３では、騒音パラメータに基づいてＥＣＵ３６が増圧開始時期を決定する構成としたが、例えば、メイン噴射の開始時期から予め設定した時間だけ遅延させて増圧開始時期を設定するようにしてもよい。これにより、増圧開始時期を決定するための計算が不要となり、ＥＣＵ３６の制御負担を軽減することができる。
【００８３】
実施形態３では、基準圧力値から増大圧力値まで噴射圧を線形的に増圧させるようにした。しかしながら、図７（ｃ）の破線で示すように、基準圧力値から増大圧力値まで噴射圧を二次関数状（曲線的）に増圧させてもよい。この場合、メイン噴射の初期段階での噴射圧をより小さい圧力とすることができ、燃焼騒音の悪化をより確実に抑制することができる。
【００８４】
[変更例]
（１）実施形態１〜３の変圧装置３２は、図２（ａ）に示すように、各燃料噴射弁３４に小型レール３８を別体的に設けた構成とした。しかしながら、図２（ｂ）に示すように、各燃料噴射弁３４に小型レール３８を一体的に設けてもよい。
【００８５】
（２）また、図９の変圧装置６９に示すように、高圧ポンプ４０に接続された高圧レール６２と、同じく高圧ポンプ４０に接続された通常圧コモンレール６４とを開閉弁４４を介して連結した構成を採用することもできる。高圧レール６２には、燃料が高圧の状態で蓄圧されている。一方、通常圧コモンレール６４には、高圧レール６２よりも低い圧力で燃料が蓄圧されている。通常圧コモンレール６４には、複数の燃料噴射弁３４が接続されており、通常圧コモンレール６４から各燃料噴射弁３４へ燃料が供給されるようになっている。
【００８６】
ＥＣＵ３６は、開閉弁４４を開閉して、高圧レール６２から通常圧コモンレール６４へ高圧の燃料が流入する量を調整することで、通常圧コモンレール６４内の圧力を制御する。すなわち、ＥＣＵ３６は、燃焼行程の初期段階では、通常圧コモンレール６４が基準圧力値になるよう開閉弁４４を制御する。そして、噴射圧を増圧させる際には、ＥＣＵ３６は、前記開閉弁４４を開放して高圧レール６２から高圧の燃料を通常圧コモンレール６４へ供給する。これにより、通常圧コモンレール６４内の圧力を増大圧力値まで増圧させて、燃料噴射弁３４から増大圧力値の噴射圧で燃料を噴射させる。
【００８７】
（３）また、図１０の変圧装置７０に示すように、高圧レール６２および通常圧コモンレール６４を互いに独立させた（互いに連通していない）構成としてもよい。高圧レール６２および通常圧コモンレール６４には、それぞれ高圧管６６および低圧管６８が各燃料噴射弁３４に対応して複数導出している。各高圧管６６および低圧管６８は、開閉弁４４で合流されている。そして、ＥＣＵ３６が開閉弁４４を開閉制御することで、高圧レール６２から供給される高圧の燃料と、通常圧コモンレール６４から供給される低圧の燃料との混合割合を調整し得るようになっている。これにより、燃料噴射弁３４に供給される燃料の圧力を適宜変更することができる。
【００８８】
すなわち、ＥＣＵ３６は、燃焼行程の前半では、低圧の燃料が高圧の燃料よりも多くなるよう開閉弁４４を開閉制御して、燃料噴射弁３４に供給される燃料の圧力を基準圧力値とする。そして、噴射圧を増圧させる際には、ＥＣＵ３６は、高圧の燃料が低圧の燃料よりも多くなるよう開閉弁４４を開閉制御して、燃料噴射弁３４に供給される燃料の圧力を増大圧力値とする。なお、開閉弁４４に代えて、切替弁を採用することも可能である。
【００８９】
（４）実施形態１〜３では、メイン噴射の前にパイロット噴射を実行したが、必ずしもパイロット噴射を実行する必要はない。また、実施形態１〜３では、アフター噴射を開始する直前に噴射圧が増大圧力値に到達するようにした。しかしながら、アフター噴射（第２噴射）が開始される前に増大圧力値まで噴射圧が増圧されていればよく、アフター噴射が開始される直前でなくてもよい。
【００９０】
（５）実施形態１〜３では、決定した増大圧力値を次回の燃焼サイクルにおいて増圧する際に用いるようにしたが、次気筒での燃焼行程において用いてもよい。
【００９１】
（６）実施形態１〜３では、熱発生量や吸気温度および噴射量からＭＡＰ値を参照して増大圧力値を決定したが、これらのパラメータから計算により最適な増大圧力値を算出してもよい。
【符号の説明】
【００９２】
１０…エンジン、３２，６９，７０…変圧装置、３４…燃料噴射弁、３６…ＥＣＵ。
【図１】
0005766654.tif 000008
【図２】
0005766654.tif 000009
【図３】
0005766654.tif 000010
【図４】
0005766654.tif 000011
【図５】
0005766654.tif 000012
【図６】
0005766654.tif 000013
【図７】
0005766654.tif 000014
【図８】
0005766654.tif 000015
【図９】
0005766654.tif 000016
【図１０】
0005766654.tif 000017